(57)【要約】【課題】使用状況に合わせて、胸ポケットにクリップ止めして使用でき、また、クリップ等の突起が一切無い本体部分のみをカバンの中に入れて使用できる利便性に優れた着脱可能な装着機構を備えた歩数計を提供すること。【解決手段】本発明に従った着脱可能な装着機構を備えた歩数計は、歩数計本体１０と、歩数計本体１０に着脱可能に取り付けられたクリップ本体２０を有する。クリップ本体２０は、開口部２４を備えたＵ字状の可撓性部材からなり、開口部２４は、歩数計本体１０に設けられたスイッチボタン１３が形成されているスイッチボタン土手部に勘合している。クリップ本体２０は、クリップ先端部２０を歩数計本体１０から離れた方向に引き上げると共にスライドさせることにより容易に歩数計本体１０から分離可能である。【選択図】図１
2010102661.tif 000002
【特許請求の範囲】
【請求項１】
歩行状態検出用のセンサを内蔵する歩数計本体と、前記歩数計本体に着脱可能であり、歩数計本体に装着して歩数計を衣服に装着するためのクリップとを備えた歩数計であって、
上記歩数計本体は、上記センサから得られた歩数に関するデータを蓄積するメモリと、メモリ内に蓄積されたデータを無線送受信するための無線モジュールと、上記無線モジュールをオン／オフ制御するためのスイッチを有しており、上記無線モジュールをオン／オフ制御するためのスイッチは上記歩数計本体の表面より高く土手状に形成された凸部に設置されており、
上記クリップは、バネ性及び可撓性を有する部材から成り、上記スイッチが設置された凸部を有する上記歩数計本体の表面側と、この表面とは反対側の裏面側から上記歩数計本体を挟みこむＵ字状に折り曲げ形成されており、且つ、上記スイッチが設置された凸部が嵌まり込む開口部を有していることを特徴とする歩数計。
【請求項２】
上記歩行状態検出用のセンサは、３軸方向の加速度を検出する加速度計であることを特徴とする請求項１に記載の歩数計。
【請求項３】
上記無線モジュールをオン／オフ制御するためのスイッチは、上記凸部において埋没した位置に設けられていることを特徴とする請求項１又は２に記載の歩数計。
【請求項４】
上記スイッチが設置された凸部は、上記歩数計本体表面の一方の端部近傍に設けられており、上記歩数計本体表面の他方の端部近傍には突起が形成されていることを特徴とする請求項１〜３のいずれか一項に記載の歩数計。
【請求項５】
上記クリップは、Ｕ字状に折り曲げ形成された側において、上記開口部に達する２つの溝によって形成された上記開口部に臨む舌片状の部分を有していることを特長とする請求項１〜４のいずれか一項に記載の歩数計。
【請求項６】
上記クリップは、上記歩数計本体の側面に接触してクリップを歩数計本体に装着する際のガイドとして作用するクリップガイドを有していることを特徴とする請求項１〜３のいずれか一項に記載の歩数計。
【請求項７】
上記歩数計本体には、更に、ＵＳＢコネクタポート及び本体電源スイッチが設けられていることを特徴とする請求項１〜４のいずれか一項に記載の歩数計。
【発明の詳細な説明】
【技術分野】
【０００１】
本発明は、着脱可能な装着機構を備えた歩数計に関し、特に、３軸加速度センサを備えた歩数計に適用して好適な着脱可能な装着機構を備えた歩数計に関する。
【背景技術】
【０００２】
近年、ＭＥＭＳ（Micro Electro Mechanical Systems）技術の発展により、３軸加速度センサを内蔵した小型ＬＳＩが実用化されており、この３軸加速度センサとメモリやマイクロプロセッサを組み合わせて、３方向夫々の加速度データから歩行状態を検出し、的確な歩数を計測する歩数計が実用化されている。
【０００３】
この３軸加速度計を内蔵した歩数計は、前述のとおり３方向の加速度センサを備えているため、歩数計自体の姿勢を問わずに的確に計数できるという特長を有しており、衣服のポケットの中や、カバンの中に入れておいても良いという利便性を有している。
【０００４】
従来の３軸加速度計を積んでいない歩数計では、正確な歩数の計測のためには、特定の姿勢で体に取り付ける必要があった。そのため、歩数計の本体部にクリップ機構を一体化して設けておき、そのクリップを利用して衣服等の特定部分に装着することとしているが、３軸加速度計を利用した歩数計ではより小型化を図るため、通常、クリップ機構を外している。
【０００５】
ところで、得られた歩数データは、歩数計内部のメモリに１週間分程度蓄積されるが、メモリ内に蓄積されたデータをウォーキングエクササイズ中に無線で健康管理サービスプロバイダ等の外部機関に送信し、外部機関において歩行データ分析を行わせること、更には、外部機関から、歩行データの分析結果を受け取とる等、健康管理サービスを受けることが可能な技術環境となっている。なお、歩行データ分析には、例えば、歩行距離や消費カロリーの演算等があり、健康サービスには、例えば、歩行場所付近の休憩ポイントに関する情報、消費カロリーの補給方法、運動強度及び運動量の適否の通知等がある。
【０００６】
この場合、歩数計自体に遠距離通信可能な機能を持たせることも考えられるが、歩数計自体の小型化や低価格化には大きな障害となるため、歩数計自体には小出力の無線（例えば、Blue Tooth等）を備えておき、蓄積されたデータを、一旦、同時に携行している携帯電話等の外部携帯機器に送信し、携帯電話等の携帯機器より健康管理サービスプロバイダ等の外部機関に送り、また、健康管理サービスプロバイダ等の外部機関からのデータについても携帯電話等を介して受信することが好ましい。
【０００７】
然しながら、この場合、
（１）ウォーキングエクササイズ中に、歩数計の無線機能立ち上げのために操作ボタンを操作するには、ポケット等から歩数計を取り出して操作しなければならないという煩わしさがある、
（２）ウォーキングエクササイズ中に、歩数計の無線機能立ち上げのために操作ボタンを操作するには、歩数計を手に持った動作となり、片手操作が困難である、
（３）歩数計をポケット等に収容していると、通信状態を示すアクセスランプの視認ができない、等の問題がある。
【０００８】
特許文献１には、歩数計等の携帯機器を使用する度にポケットから取り出ださなければならないという煩わしさを解消できる携帯機器として、携帯機器本体にクリップを取り付け可能とした構成が開示されている。
【０００９】
図６（ａ）、（ｂ）、（ｃ）は、特許文献１に開示されている小型携帯機器をポケット等に取付け可能としたクリップ機構を示す図である。図６（ａ）、（ｂ）に示されるように、携帯機器の本体６０に設けられた凹部６１内にはピン６２が形成されており、このピン６２に対して、クリップ７０が取り付けられている。クリップ７０は、図６（ｃ）により詳細に示されているように、２つの挟持片７１、７２と、Ｓ字状部７３を有している。そして、クリップ７０は、このＳ字状部７３を、携帯機器本体６０のピン６２に係合させることによって、携帯機器の本体６０に取り付けられている。
【特許文献１】特開平１１−２５０６３７号公報（１９９９年９月１７日公開）
【発明の開示】
【発明が解決しようとする課題】
【００１０】
しかしながら、特許文献１に記載のクリップ７０の場合、クリップ７０を携帯機器の本体６０に取り付けるには、小さくて見にくい箇所に設けられているピン６２に、クリップ７０のＳ字状部を係合させる必要があり、明るいところでの、かなりの注意を払いながらの作業が必須であり、頻繁にクリップの取り外しを行うような使い方にはなじまないという使用上の課題がある。また、クリップ７０と携帯機器の本体６０との係合が緩みやすく、使用を重ねるうちに、ガタが生ずることが懸念される。
【００１１】
本発明は、上記の問題点に鑑みてなされたものであり、その目的は、歩数計本体とは別体であり、歩数計本体に対して極めて容易且つ確実に着脱可能なクリップ部材を備え、クリップ部材を外した状態の歩数計本体のみでの使用も可能であり、クリップを装着した状態でも使用可能である着脱可能な装着機構を備えた歩数計を提供することである。
【課題を解決するための手段】
【００１２】
本発明に係る歩数計は、
歩行状態検出用のセンサを内蔵する歩数計本体と、前記歩数計本体に着脱可能であり、歩数計本体に装着して歩数計を衣服に装着するためのクリップとを備えた歩数計であって、
上記歩数計本体は、上記センサから得られたデータを蓄積するメモリと、メモリ内に蓄積されたデータを無線送受信するための無線モジュールと、上記無線モジュールをオン・オフ制御するためのスイッチを有しており、上記無線モジュールをオン／オフ制御するためのスイッチは上記歩数計本体の表面より高く土手状に形成された凸部に設置されており、
上記クリップは、バネ性及び可撓性を有する部材から成り、上記スイッチが設置された凸部を有する上記歩数計本体の表面側と、この表面とは反対側の裏面側から上記歩数計本体を挟みこむＵ字状に折り曲げ形成されており、且つ、上記スイッチが設置された凸部が嵌まり込む開口部を有していることを特徴としている。
【００１３】
上記の構成によれば、歩数計本体に対し、極めて容易にしかも確実にクリップを着脱でき、使用目的に従って随時、本体単体のみでの使用、クリップを付けての使用が選択できる。また、適宜無線モジュールを使用しての外部機器とのデータ交換が可能であり、歩数計のより高度な利用が可能となる。
【００１４】
本発明に係る歩数計は、上記歩行状態検出用のセンサが、３軸方向の加速度を検出する加速度計であることを特徴としている。
３軸方向の加速度を検出する加速度計は、歩行状態を検出するセンサとしての使用に際して、その姿勢が問われない。従って、上記の構成によれば、クリップを外して最小限の大きさにした状態でカバンやポケットに入れて使用することが可能であって、カバン等に入っている他の機器の使用に対して邪魔になるようなことはなく、歩数計の利便性を向上させることができる。
【００１５】
本発明に係る歩数計は、上記無線モジュールをオン／オフ制御するためのスイッチが、上記凸部において埋没した位置に設けられていることを特徴としている。
【００１６】
上記の構成によれば、上記無線モジュールをオン／オフ制御するためのスイッチが誤って操作されることを防止できると共に、ポケット等にある歩数計を手探りで操作する時に、スイッチボタンを容易且つ確実に見つけだすことが可能となる。
【００１７】
本発明に係る歩数計は、上記スイッチが設置された凸部が、上記歩数計本体表面の一方の端部近傍に設けられており、上記歩数計本体表面の他方の端部近傍には突起が形成されていることを特徴としている。
【００１８】
上記の構成によれば、歩数計本体にクリップを取り付けた状態で歩数計を使用する際に、容易に歩数計をポケット等に取り付けることができる。
【００１９】
本発明に係る歩数計は、上記クリップが、Ｕ字状に折り曲げ形成された側において、上記開口部に達する２つの溝によって形成された上記開口部に臨む舌片状の部分を有していることを特長としている。
【００２０】
上記の構成によれば、上記歩数計本体にクリップを装着した際に、上記クリップを上記歩数計本体に確実に固定することができる。
【００２１】
本発明に係る歩数計は、上記クリップが、上記歩数計本体の側面に接触してクリップを歩数計本体に装着する際のガイドとして作用するクリップガイドを有することを特徴としている。
【００２２】
上記の構成によれば、極めて容易にクリップを本体に取り付けることが可能となる。
【００２３】
本発明に係る歩数計は、上記歩数計本体に、更に、ＵＳＢコネクタポート及び本体電源スイッチが設けられていることを特徴としている。
【００２４】
上記の構成によれば、パソコン等とのデータ交換が容易になる外、使用時以外には電源をオフにできるので省エネ効果も高い。
【発明の効果】
【００２５】
以上に述べたとおり、本願の発明に係る歩数計は、
歩行状態検出用のセンサを内蔵する歩数計本体と、前記歩数計本体に着脱可能であり、歩数計本体に装着して歩数計を衣服に装着するためのクリップとを備えた歩数計であって、
上記歩数計本体は、上記センサから得られたデータを蓄積するメモリと、メモリ内に蓄積されたデータを無線送受信するための無線モジュールと、上記無線モジュールをオン・オフ制御するためのスイッチを有しており、上記無線モジュールをオン・オフ制御するためのスイッチは上記歩数計本体の表面より高く土手状に形成された凸部に設置されており、
上記クリップは、バネ性及び可撓性を有する部材から成り、上記スイッチが設置された凸部を有する上記歩数計本体の表面側と、この表面とは反対側の裏面側から上記歩数計本体を挟みこむＵ字状に折り曲げ形成されており、且つ、上記スイッチが設置された凸部が嵌まり込む開口部を有していることを特徴としている。
【００２６】
上記の構成によれば、上記クリップ本体を上記歩数計本体に装着している時には、確実に上記クリップ本体及び上記歩数計本体の係合状態を保つことができ、しかも、極めて簡単な操作で極めて容易に歩数計本体とクリップ本体とを着脱できる着脱可能な装着機構を備えた歩数計を提供できる。これにより、使用目的に従って随時、本体単体のみでの使用、クリップを付けての使用が選択できる極めて利便性の高い歩数計を提供できる。また、無線モジュールを使用しての外部機器とのデータ交換による歩数計のより高度な利用が可能となる。
【発明を実施するための最良の形態】
【００２７】
本発明の実施の形態を図１ないし図５に基づいて説明する。尚、以下の説明では、本発明を実施するために技術的に好ましい種々の限定が付されているが、本発明の範囲が以下の実施の形態および図面に限定されるものではない。
【００２８】
始めに、図１、図２、図３を用いて、本発明の実施の形態である着脱可能な装着機構を備えた歩数計の構成を説明し、次に、図４を用いてクリップを歩数計本体に取り付けた際の使用状況を説明し、次いで、図５を用いてクリップを歩数計本体に取り付ける状況を説明する。
【００２９】
図１は、歩数計本体に対して、着脱可能な装着機構として機能するクリップを取り付けた状態の歩数計を示しており、図２は上記の着脱可能な装着機構として機能するクリップを取り外した状態の歩数計本体を示している。また、図３は着脱可能な装着機構として機能するクリップを示している。図１から図３において、同一の部材に対しては同一の番号を付与しているので、各図面においての各部材の説明は省略する。
【００３０】
図１、図２、図３において、１０は歩数計本体であり、２０はクリップ本体である。歩数計本体１０の内部には、図示されていないが、歩行状態を検知するセンサが設けられており、更に、上記センサから得られた歩数に関するデータを蓄積するメモリと、メモリ内に蓄積されたデータを無線送受信するための無線モジュールが設けられている。
【００３１】
歩数計本体１０は、図２において詳細に示されているとおり、本体表面１１側の一方の端部近傍に円形の凸部であるスイッチボタン土手部１２を有しており、上記スイッチボタン土手部１２の中心部にスイッチボタン１３を備えている。スイッチボタン１３は、歩数計本体内に設けられた無線モジュールをオン／オフするためのもので、本体表面１１より高く形成されたスイッチボタン土手部１２に囲まれ、スイッチボタン土手部１２より少し低い埋没した位置に置かれている。これは、スイッチボタン１３が突出していることにより、誤ってスイッチボタン１３に触れてしまうことを回避することを目的としていると同時に、手探りでスイッチボタン１３を操作する時に、スイッチボタン１３の場所を容易且つ確実に見つけだせるようにしたことを目的としている。
【００３２】
また、本体表面１１側のスイッチボタン土手部１２が形成された端部とは反対側の端部近傍には突起１４が形成されている。図１から明らかであるが、この突起１４が存在することにより、クリップ本体２０を歩数計本体１０に取り付けると、クリップ本体２０と歩数計本体１０の本体表面１１との間には、僅かに隙間３０が生ずることになる。クリップ本体２０の先端部２６に生じている本体表面１１との間の隙間３０は、歩数計をポケットの端部に取り付ける際に、ポケット端部を容易にクリップに挟み込むことができるという効果を生ずる。また、ポケットの端部近傍の生地が突起１４とクリップ本体２０との間にしっかりと挟みこまれるという効果を生ずることになる。突起の高さは、上記の役割を考慮して挟み込む布地の厚さと同等か僅かに厚くすれば良い。
【００３３】
歩数計本体１０の側面には、本体電源スイッチ、ＵＳＢコネクタポートが設けられる。１６はＵＳＢコネクタポートの開口部を塞ぐコネクタポート蓋を示しており、１７は上記本体電源スイッチのスイッチ蓋を示している。本体電源スイッチを設けることにより、不使用時には電源をオフにできることから、歩数計としての省エネを実現することができ、工場での組み立て後、ユーザーが使用するまで回路に通電され続けるようなことを避けることも可能となる。また、ＵＳＢコネクタポートを設けることにより、パソコン等との間でのデータの交換も容易となり、パソコンを使用した健康管理を容易に実現できる。また、ＵＳＢ端子を介しての内部電池の充電も可能となる。なお、１５は、ストラップ通し孔である。
【００３４】
クリップ本体２０は、バネ性及び可撓性の部材から作成されており、図１、図３に示されているように、歩数計本体１０の本体表面１１と上記本体表面１１の反対側の裏面とで、上記歩数計本体１０を挟み込むＵ字状に折り曲げられている。そして、クリップ本体２０には、歩数計本体１０上に形成された円形の凸部である上記スイッチボタン土手部１２に対向した部分において、上記スイッチボタン土手部１２が嵌まり込む開口部２４が設けられている。上記スイッチボタン土手部１２の高さは、図１に示すように歩数計本体１０にクリップ本体２０を装着した際に、クリップ本体２０の開口部２４から更に僅かに突出するような高さに選ばれる。
【００３５】
図３に示されるように、上記クリップ本体２０の開口部２４の上部側（Ｕ字状の折り曲げ部に近い側）には２つの溝２５、２５が形成されており、これによって舌片状のクリップ上部２２が形成されている。また、上記２つの溝２５、２５が形成されていることにより、上記開口部２４は、結果としてＵ字状の開口となる。上記クリップ上部２２は、クリップ底板２３（図３参照）側に向けて予め付勢されており、従って、歩数計本体１０は、クリップ上部２２と上記クリップ底板２３間で確実に保持され、図１のＹ方向へのガタツキ等が規制される。
【００３６】
更に、上記クリップ底板２３の両サイドには、クリップガイド２１が設けられている。このクリップガイド２１は、後で説明するクリップ本体２０を歩数計本体に装着する際のガイドとしての働きを行うと共に、図１に示すＸ方向のガタツキ等を規制する部材としても機能する。
【００３７】
また、既に説明したとおり、歩数計本体１０に形成された上記スイッチボタン土手部１２がクリップ本体２０に形成された開口部２４に嵌まり込むことになることから、通常の使用時にはクリップ本体２０が歩数計本体１０から外れることはない。また、スイッチボタン土手部１２は、本体表面１１より高く形成されていて、更に、クリップ本体２０の開口部２４からも突出するように構成されていることから、歩数計本体１０を胸ポケット等に挟み込んだ状態（図４参照）から引き抜く際に、クリップ本体２０が歩数計本体１０から抜け落ちないようにする機能を果たしている。
【００３８】
図４は、歩数計本体１０にクリップ本体２０を装着した状態での歩数計の使用状況を示している。図４に示すとおり、クリップ本体２０が装着された歩数計本体１０は、衣服の胸ポケット４０の上端部４１において、歩数計本体１０とクリップ本体２０とでポケット４０の布地を挟み込む形で保持されている。このとき、ポケットの上端部４１は、歩数計本体１０に設けられている上記スイッチボタン土手部１２で止まり、従って、スイッチボタン１３はポケット４０より露出するので、例えば、ウォーキングエクササイズ中でも片手でスイッチボタンを操作できる。また、スイッチボタン１３を透明な素材で形成し、その近傍直下にＬＥＤを配置しておき、通信アクセス時にＬＥＤを点灯するような構成とすれば、ウォーキングエクササイズ中であっても容易に歩数計本体１０が通信アクセス中であることを視認できる。
【００３９】
図５は、クリップ本体２０を歩数計本体１０に着脱する際の状況を説明する図である。クリップ本体２０を、歩数計本体１０に着脱する際には、クリップ本体２０の先端部２６を矢印Ｂ方向に持ち上げた状態で、クリップ本体２０或いは歩数計本体１０をＡ方向にスライドさせて着脱させる。クリップ本体２０は可撓性のある素材（例えば、バネ用ステンレス鋼板）で作成されているので、Ｂ方向へクリップの先端部２６を持ち上げても、問題なく元の状態に復帰できる。
【００４０】
以上に述べた歩数計本体は、例えば横６０ｍｍ、幅２２ｍｍ、高さ１２ｍｍ程度の大きさで実現でき、極めて携帯性に優れている。また、上記の本発明に係る実施の形態に記載の歩数計によれば、ウォーキングエクササイズ中には、歩数計本体にクリップ本体を装着して衣服の胸ポケット等に装着して、健康管理サービスプロバイダとの通信を容易にし、また、日常の通勤等の歩行データの収集時には、歩数計本体からクリップ本体を外して歩数計本体のみをカバンやポケットに入れて使用することが可能であり、使用者の使用性向上と利便性の向上に寄与できる。
【００４１】
通勤通学時には、携帯音楽プレイヤー等をカバンやポケットに入れて持ち歩くことが多いが、クリップ等の突起を有するような機器が一緒にあると、ヘッドフォンやイヤフォンのコードがクリップに引っかかり、ヘッドフォンやイヤフォンの取り出しを阻害することが多い。従って、通勤通学時には、クリップ本体２０を外した歩数計本体１０のみをカバンやポケットに入れておけば、上述のような取り出す際の邪魔にならず極めて利便性が高い。更に、ストラップ通し孔１５にストラップを通し、首から下げて使用する等使用シーンに変化を付けることができる。
【００４２】
なお、本発明は上述した各実施形態に限定されるものではない。当業者は、請求項に示した範囲内において、本発明をいろいろと変更できる。すなわち、請求項に示した範囲内において、適宜変更された技術的手段を組み合わせれば、新たな実施形態が得られる。
【産業上の利用可能性】
【００４３】
本発明によれば、小型で、種々の使用状況に最適に対応できる使い勝手の優れた歩数計を提供することができる。
【図面の簡単な説明】
【００４４】
【図１】本発明に従った着脱可能な装着機構を備えた歩数計の斜視図である。
【図２】本発明に従った歩数計の本体部分の斜視図である。
【図３】本発明に従った歩数計のクリップ本体の斜視図である。
【図４】本発明に従った着脱可能な装着機構を備えた歩数計の使用状態を示す図である。
【図５】本発明に従った着脱可能な装着機構を備えた歩数計の本体部とクリップ部の着脱状況を説明する図である。
【図６】特許文献１に開示されている小型携帯機器をポケット等に取付け可能としたクリップ機構を示す図である。
【符号の説明】
【００４５】
１０  歩数計本体
１１  歩数計本体表面
１２  スイッチボタン土手部
１３  スイッチボタン
１４  突起
１５  ストラップ通し孔
１６  ＵＳＢコネクタポートのコネクタポート蓋
１７  本体電源スイッチのスイッチ蓋
２０  クリップ本体
２１  クリップガイド
２２  クリップ上部
２３  クリップ底板
２４  開口部
２５  溝
２６  クリップ先端部
３０  隙間
【図１】
2010102661.tif 000003
【図２】
2010102661.tif 000004
【図３】
2010102661.tif 000005
【図４】
2010102661.tif 000006
【図５】
2010102661.tif 000007
【図６】
2010102661.tif 000008